(57)【要約】      （修正有） 【課題】ピアノのペダルに足の届かない子供や足の筋力の弱い大人のためのピア用補助ペダル装置を提供する。【解決手段】ピアノ用補助ペダル装置は逆Ｌ字状のＬ型アームとＬベースで構成される。逆Ｌ字状のＬベースの水平部に半円球ペダルを設け、垂直部の正面にＶ字状の凹部を設ける。Ｌ字状のＬベースの垂直部の正面水平部にＶ字状の凸部を設け、Ｌベースの水平部にピアノのペダルが入る凹部を設けると共に、Ｌベースの水平部の凹に入ったピアノのペダルを抑える押さえ板を設ける。Ｌ型アームのＶ字状の凹部とＬベースのＶ字状の凸部は任意の段階で嵌合する。【選択図】図１
0003169773.tif 000002
【実用新案登録請求の範囲】
【請求項１】
次の構成を有することを特徴とするピアノ用補助ペダル装置。
（イ）逆Ｌ字状のＬ型アームの水平部に半円球ペダルを設ける。
（ロ）逆Ｌ字状のＬ型アームの垂直部の正面にＶ字状の凹部を設ける。
（ハ）Ｌ字状のＬベースの垂直部の正面にＶ字状の凸部を設ける。
（ニ）Ｌ型アームのＶ字状の凹部とＬベースのＶ字状の凸部は段階ごとに勘合できる。
（ホ）Ｌベースの水平部にピアノのペダルが入る凹部を設ける。
（ヘ）Ｌベースの水平部の凹部に入ったピアノペダルを固定し押さえる為の押さえ板を設ける。
【請求項２】
Ｌベースの水平部にストッパーを設けた事を特徴とする請求項1に記載のピアノ用補助ペダル。
【考案の詳細な説明】
【技術分野】
【０００１】
この考案は、ピアノのペダルに足の届かない子供や足の筋力の弱い大人のためのペダル装置である。
【背景技術】
【０００２】
ピアノには、ダンパーペダル、ソステヌートペダル、ソフトペダルなどがあり、鍵盤を叩いたのちこのペダルを踏むことで音楽的芸術的演奏効果が生み出されます。従来、ピアノは大人が演奏することを基本に製作されていますので、子供が演奏する場合には、ペダルに足が届かず曲目の選択肢がせばまっています。また大人でも足の筋力が弱い人は演奏に負担がありました。
【０００３】
従来、ペダルにかさ上げをして操作を可能にするピアノ用補助ペダル装置がありますが、特殊な工具でしか調整できないものや、演奏中にたびたびねじが緩んでくることがあります。そして、子供の演奏コンクールや発表会では奏者の交代時間が短時間であるために、そのセッティングに神経を使うことがありました。
【考案の概要】
【考案が解決しようとする課題】
【０００４】
本考案は、その課題を解決するために、ピアノ本体のペダルに本装置を取り付けた時の剛性と高さ調節機構が簡単にできるように設計し、演奏者の利便性を助けたものを企画開発いたしました。
【課題を解決するための手段】
【０００５】
本考案は、次の構成を有することを特徴とするピアノ用補助ペダル装置である。
（イ）逆Ｌ字状のＬ型アームの水平部に半円球ペダルを設ける。
（ロ）逆Ｌ字状のＬ型アームの垂直部の正面にＶ字状の凹部を設ける。
（ハ）Ｌ字状のＬベースの垂直部の正面にＶ字状の凸部を設ける。
（ニ）Ｌ型アームのＶ字状の凹部とＬベースのＶ字状の凸部は段階ごとに勘合できる。
（ホ）Ｌベースの水平部にピアノのペダルが入る凹部を設ける。
（ヘ）Ｌベースの水平部の凹部に入ったピアノペダルを固定し押さえる為の押さえ板を設ける。
更に、本考案は、Ｌベースの水平部にストッパーを設ける。
【考案の効果】
【０００６】
この新たな装置は工具を全く必要とせず、女性の非力な方でも簡単にセットすることが可能です。また伸張部分にｖ字に溝の加工を施すことによって、締め付け部分が多少緩んでも常に中心に力が集中するためにずれることが無く不安定要素を無くしています。
またより小さな子供にも対応するためにアダプターを介することでより高さを伸ばすこともできます。またＬペダルを逆にセットすることで高学年から大人までの幅広い年齢まで対応しています。
【０００７】
また足裏に当たる場所の形状をなだらかな半円球に施し踏み外しの無いよう、足裏の接地面が捕らえやすくいたしております。また半円球は取り外しが出来ますので、不必要な時や様々な奏者への対応に配慮いたしています。
また本装置を付けてペダルを操作する際に振れの幅を軽減するためにストッパーを介し
それぞれの演奏者に応じた調整も出来るように使い心地にも配慮しています。
【図面の簡単な説明】
【０００８】
【図１】本考案の分解図である。
【図２】本考案のＬ型アーム、Ｌベースの斜視図である。
【実施例】
【０００９】
本考案に係るピアノ用補助ペダル装置の実施例１を図１、図２を用いて説明します。
【００１０】
実施例１のピアノ用補助ペダル装置は、図１に示すように逆Ｌ字状のＬ型アーム１とＬ字状のＬベース２により構成されている。Ｌ型アームの水平部には半円球ペダルを設ける。水平部には半円球ペダルを取付部が２箇所あり、選択することができる。Ｌ型アームの垂直部にはＶ字状の溝部８を複数設け、溝部８の底には雌ネジ部を設けている。Ｌベース２の垂直部にはＶ字状の突部９が複数設けると共に突部９にはネジが貫通する穴を設けている。Ｌ型アーム２の水平部にはピアノのペダル６が挿入される溝部１０が設けている。又、ペダル６を押さえる押さえ板４をネジ止めする雌ねじ部を設けている。垂直部の近傍の水平部には、図１に示すようなストッパー５を２個設けている。
【００１１】
次に実施例１のピアノ用補助ぺダル装置の使用方法について説明する。
【００１２】
Ｌ型アーム１の水平部に半円球ペダル３をねじ込み取り付けるが、演奏者の足の長さに比例して雌ねじ７を選択することが出来る。そして、Ｌ型アーム１をＬベース２にとりあえず仮止めする。そして、ピアノ用補助ぺダル装置をピアノ本体のペダル６を溝部１０に挿入して上から押さえ板４を載せて両端にある締め付けネジ１１でしっかりとペダル６を固定する。
【００１３】
次に、演奏者はピアノ椅子に腰を掛け所定の演奏フォームに身構えピアノ用補助ペダル装置の半円球ペダル３に軽く足を掛け、その踏みシロを確認した後に溝部８と突部９のかみ合わせの都合の良い所を調整してネジ１２で固定する、本装置はネジ１２をしっかり締めなくても、Ｖ溝の機構を有する事で、中心に力がかかるので演奏中でもずれることはありません。また、ストッパー５で振れ幅を舞台の床に任意に長さを調節する機能も有している。
【符号の説明】
【００１４】
１    Ｌ型アーム
２    Ｌベース
３    半円球ペダル
４    押さえ板
５    振れ止めストッパー
６    ピアノのペダル
７    半円球ペダル取付部
８    溝部
９    突部
１０  締め付けネジ
１１  ネジ
１２  ネジ
【図１】
0003169773.tif 000003
【図２】
0003169773.tif 000004
【手続補正書】
【提出日】平成23年6月22日(2011.6.22)
【手続補正１】
【補正対象書類名】実用新案登録請求の範囲
【補正対象項目名】全文
【補正方法】変更
【補正の内容】
【実用新案登録請求の範囲】
【請求項１】
次の構成を有することを特徴とするピアノ用補助ペダル装置。
（イ）逆Ｌ字状のＬ型アームの水平部に半円球ペダルを設ける。
（ロ）逆Ｌ字状のＬ型アームの垂直部の正面にＶ字状の凹部を設ける。
（ハ）Ｌ字状のＬベースの垂直部の正面にＶ字状の凸部を設ける。
（ニ）Ｌ型アームのＶ字状の凹部とＬベースのＶ字状の凸部は段階ごとに嵌合できる。
（ホ）Ｌベースの水平部にピアノのペダルが入る凹部を設ける。
（ヘ）Ｌベースの水平部の凹部に入ったピアノペダルを固定し押さえる為の押さえ板を設ける。
【請求項２】
Ｌベースの水平部に舞台の床に対するペダルの振れ幅を調整するストッパーを設けた事を特徴とする請求項1に記載のピアノ用補助ペダル装置。
【手続補正２】
【補正対象書類名】明細書
【補正対象項目名】０００５
【補正方法】変更
【補正の内容】
【０００５】
本考案は、次の構成を有することを特徴とするピアノ用補助ペダル装置である。
（イ）逆Ｌ字状のＬ型アームの水平部に半円球ペダルを設ける。
（ロ）逆Ｌ字状のＬ型アームの垂直部の正面にＶ字状の凹部を設ける。
（ハ）Ｌ字状のＬベースの垂直部の正面にＶ字状の凸部を設ける。
（ニ）Ｌ型アームのＶ字状の凹部とＬベースのＶ字状の凸部は段階ごとに嵌合できる。
（ホ）Ｌベースの水平部にピアノのペダルが入る凹部を設ける。
（ヘ）Ｌベースの水平部の凹部に入ったピアノペダルを固定し押さえる為の押さえ板を設ける。
更に、本考案は、Ｌベースの水平部に舞台の床に対するペダルの振れ幅を調整するストッパーを設ける。